(57)【特許請求の範囲】
【請求項１】
コントローラー本体と、前記コントローラー本体に被装されるカバーと、前記コントローラー本体から延びて前記カバーに形成される軸挿通孔から突出するボリューム軸に取り付けられる摘みとから成り、
前記カバーの前記軸挿通孔の周囲に、前記ボリューム軸の回転によって変わる量に対応する記号が複数円弧状に表記されると共に、前記記号に対応する差し込み孔が、前記記号の内側に二重且つ円弧状に穿設され、内側の前記差し込み孔がそれぞれ外側の前記差し込み孔の間に位置するように配置され、
前記摘みには、その外表面に、回転に伴って前記記号のいずれかを指し示す指示手段が形成されると共に、その内面に堰板が形成され、前記堰板が前記カバーの内側から前記差し込み孔のいずれかに選択的に差し込まれるストッパーに当たることにより、前記ボリューム軸の回転端が規制されることを特徴とするボリューム式コントローラー。
【請求項２】
前記記号として又は記号と共に数字を表示し、前記外側に配置される差し込み孔はそれぞれ、近接する前記記号に表示した数字に対応させ、前記内側に配置される差し込み孔はそれぞれ、近接する前記記号に表示した数字の中間値に対応させる、請求項１に記載のボリューム式コントローラー。
【請求項３】
前記指示手段は前記摘みの環状ベースの外表面に形成され、前記堰板は、前記環状ベースの前記指示手段形成位置に対応する内面位置において、前記環状ベースの内側面から中心部に延びるように板状に形成される、請求項１又は２に記載のボリューム式コントローラー。
【請求項４】
前記ストッパーはネジである、請求項１乃至３のいずれかに記載のボリューム式コントローラー。
【発明の詳細な説明】
【技術分野】
【０００１】
本発明は、ボリューム式コントローラー、より詳細には、換気装置の換気量調整や照明器具の光量調整等のために用いられる手動式コントローラーで、使用環境、使用条件等に応じて任意にボリューム回動端を規制調整できる、ボリューム式コントローラーに関するものである。
【背景技術】
【０００２】
建築基準法の改正により、シックハウスの原因となるホルムアルデヒド等の化学物質の室内濃度を下げるため、建築物に使用する建材や換気設備についての規制が強化されている。例えば、換気設備についてみると、ホルムアルデヒドを発散する建材を使用しない場合であっても、家具からの発散があるため、原則として全ての建築物に機械換気設備の設置が義務付けられている。そして、住宅の場合は、換気回数０．５回／ｈ（１時間当たりに部屋の空気の半分以上が入れ替わることを意味する）以上の機械換気設備（いわゆる２４時間換気システム等）の設置が必要とされる。
【０００３】
上記機械換気システムは、換気量（ファンモーター回転数）調整のためのコントローラーを伴う。一般にこのコントローラーは、壁面に取り付けられるボリューム式のものであって、そのボリューム摘みを回すことで、住宅の大きさ（坪数）に応じた換気量の調整を行うことができるようになっている。例えば、本願出願人の製品においては、摘みの周囲に、坪数に対応する１〜９の符号（１は２０坪、２は３０坪、・・・、９は９５坪）が表示されていて、ボリューム摘みの指示線をいずれかの数字に合わせることにより、当該住宅の坪数に応じた換気量が確保されるようになっている。
【０００４】
このように従来のボリューム式コントローラーの場合は、使用者がそのボリューム摘みを自由に操作することができるため、度々の操作や不用意な操作により、適正な換気量設定位置が分からなくなってしまうおそれがある。その結果、換気回数０．５回／ｈ以上という規制を担保することができなくなるという問題があった。
【先行技術文献】
【特許文献】
【０００５】
【特許文献１】特開２００５−２２１２１７号公報
【特許文献２】特開２００６−１４５１１６号公報
【発明の概要】
【発明が解決しようとする課題】
【０００６】
上述したように、従来のボリューム式コントローラーの場合は、使用者がそのボリューム摘みを自由に操作することができることから、換気回数０．５回／ｈ以上という規制を担保することができなくなるという問題があった。
【０００７】
本発明は、上記問題を解決すべくなされたものであって、ボリューム式摘みの回動の上限及び／又は下限を設定する必要がある場合の回動端設定が容易で、例えば、住宅用機械換気システムのコントローラーとして利用されることにより、設置時においてボリューム式摘みの回動端を当該住宅に対応させて設定でき、以て、換気回数０．５回／ｈ以上という規制を確実に担保することができるボリューム式コントローラーを提供することを課題とする。
【課題を解決するための手段】
【０００８】
上記課題を解決するための請求項１に記載の発明は、コントローラー本体と、前記コントローラー本体に被装されるカバーと、前記コントローラー本体から延びて前記カバーに形成される軸挿通孔から突出するボリューム軸に取り付けられる摘みとから成り、前記カバーの前記軸挿通孔の周囲に、前記ボリューム軸の回転によって変わる量に対応する記号が複数円弧状に表記されると共に、前記記号に対応する差し込み孔が、前記記号の内側に二重且つ円弧状に穿設され、内側の前記差し込み孔がそれぞれ外側の前記差し込み孔の間に位置するように配置され、前記摘みには、その外表面に、回転に伴って前記記号のいずれかを指し示す指示手段が形成されると共に、その内面に堰板が形成され、前記堰板が前記カバーの内側から前記差し込み孔のいずれかに選択的に差し込まれるストッパーに当たることにより、前記ボリューム軸の回転端が規制されることを特徴とするボリューム式コントローラーである。
【０００９】
一実施形態においては、前記記号として又は記号と共に数字を表示し、前記外側に配置される差し込み孔はそれぞれ、近接する前記記号に表示した数字に対応させ、前記内側に配置される差し込み孔はそれぞれ、近接する前記記号に表示した数字の中間値に対応させる。また、一実施形態においては、前記指示手段は前記摘みの環状ベースの外表面に形成され、前記堰板は、前記環状ベースの前記指示手段形成位置に対応する内面位置において、前記環状ベースの内側面から中心部に延びるように板状に形成される。また、前記ストッパーはネジとされる。
【発明の効果】
【００１０】
本発明は上述したとおりであって、このボリューム式コントローラーによれば、前記摘みに、その外表面に回転に伴って前記記号のいずれかを指し示す指示手段が形成されると共に、その内面に堰板が形成され、前記堰板が前記カバーの内側から前記差し込み孔のいずれかに差し込まれるストッパーに当たることにより、前記ボリューム軸の回転端が規制されるので、例えば、本コントローラーを住宅用機械換気システムのコントローラーとして利用する場合、壁面等への設置時において、当該工事担当者が単に停止手段を所望の差し込み孔に差し込むだけで、ボリューム式摘みの回動端を当該住宅に対応させて設定でき、以て、換気回数０．５回／ｈ以上という規制を確実に担保することが可能となる効果がある。
【図面の簡単な説明】
【００１１】
【図１】本発明に係るボリューム式コントローラーの一実施形態の分解斜視図である。
【図２】本発明に係るボリューム式コントローラーにおけるカバーの構成例を示す斜視図である。
【図３】本発明に係るボリューム式コントローラーにおけるカバーの構成例を示す裏面図である。
【図４】本発明に係るボリューム式コントローラーにおける摘みの構成例を示す斜視図である。
【図５】本発明に係るボリューム式コントローラーの動作を示す一部切截正面図である。
【発明を実施するための最良の形態】
【００１２】
以下に、本発明を実施するための最良の形態について、図面に依拠して説明する。図示した例は、本発明に係るボリューム式コントローラーを室内換気装置の換気量調整に用いた場合のものであり、その場合、本コントローラーは図示せぬファンに接続され、その操作によりファンの回転制御、換言すれば、換気量の増減調整を行うために用いられる。
【００１３】
本コントローラーは、通例、壁面埋め込み型に構成され、壁面３１に埋め込まれるコントローラー本体１と、室内側に表出するようにコントローラー本体１に被装されるカバー１１と、コントローラー本体１から延びてカバー１１に形成される軸挿通孔１２から突出するボリューム軸２に取り付けられる摘み２１とから成る。
【００１４】
コントローラー本体１の四隅には、カバー１１の内面四隅に形成される係止手段１３に対応する係止手段３が形成され、各係止手段同士３、１３が係止し合うことにより、カバー１１がコントローラー本体１に取り付けられるようになっている。例えば、係止手段３、１３は、一方を孔とし、他方をこれに係合する爪付き突部として構成することができるが、他の任意の係合手段とすることができることは言うまでもない。
【００１５】
本コントローラーは摘み２１を回してボリューム軸２を回転させることにより、図示せぬファンの換気量（ファンモーター回転数）を制御するものであるため、カバー１１の軸挿通孔１２の周囲に、ボリューム軸２の回転によって変わる換気量（ファンモーター回転数）に対応する記号１４が複数、円弧状に表記される。図示した例における記号１４は、１乃至９の数字（坪数に対応するもので、例えば、１は２０坪、２は３０坪、・・・、９は９５坪に対応する）と、その数字の内側に表示され、その大きさで以て換気量（ファンモーター回転数）の大小を示す黒丸とから成る。黒丸は、１乃至９の数字に対応するものの他に、各数字の中間値を指し示す小さな黒丸を含む。
【００１６】
更に、記号１４の内側において軸挿通孔１２を囲むように、記号１４のそれぞれに対応する差し込み孔１５が円弧状に穿設される。図示した例では、差し込み孔１５は、記号１４の各数字に対応するものと、各数字の中間値に対応するものとが二重に配置されている（前者が外輪）。後述するように、この差し込み孔１５には、選択的にストッパー１６が差し込まれる。ストッパー１６としては、通常、ネジが用いられるが、他のピン状のものであってもよい。なお、後述する堰板２３の厚みとの関係で、各差し込み孔１５は、各数字及び各数字の中間値対応位置よりも少し、数字の若い側にずらして形成される（図５参照）。
【００１７】
コントローラー本体１には運転確認ランプ４が組み込まれ、カバー１１に運転確認ランプ４を視認させるための窓１７が形成される。
【００１８】
摘み２１には、その外表面に、回転に伴って記号１４のいずれかを指し示す指示手段２２が形成されると共に、その内面に堰板２３が形成される。例えば、指示手段２２は、摘み２１の環状ベース２４に形成される突部であり、堰板２３は、環状ベース２４の指示手段２２形成位置に対応する内面位置において、環状ベース２４の内側面から中心部に延びるように形成される板状体である。
【００１９】
本発明に係るコントローラーの設置に当たっては、先ずコントローラー本体１を、配線の接続をした後壁面３１に埋め込み固定する。次いで、当該住宅の居室の広さに対応する換気量（ファンモーター回転数）の下限、即ち、換気回数０．５回／ｈ以上という規制をクリアできる範囲を確認し、その下限に対応する記号１４の位置に存する差し込み孔１５に、ストッパー１６たるネジをねじ付けたカバー１１を、コントローラー本体１に被着する。そして、コントローラー本体１から延びて軸挿通孔１２から突出するボリューム軸２に摘み２１を被せ、止めネジ２５をねじ込んで摘み２１をボリューム軸２に固定する。
【００２０】
このようにして設置された本コントローラーにおいては、摘み２１を回すことによってボリューム軸２を自由に回転させることができるが、反時計方向への回転は、堰板２３がストッパー１６に当たることにより規制される。従って、摘み２１が、度々の操作や不用意な操作により適正位置を外れたとしても、換気回数０．５回／ｈ以上という規制を外れることは皆無となる。また、設定の変更をする場合は、カバー１１を外し、ストッパー１６の差し込み位置を変えればよい。
【００２１】
上述した例は、本コントローラーを換気装置の換気量設定用に用いた場合であるが、本コントローラーはこれに限らず、照明器具の光量調整その他、使用環境、使用条件等に応じてボリューム回動端を規制する必要のある種々の場合に適用可能なものである。
【００２２】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２３】
１      コントローラー本体
２      ボリューム軸
３      係止手段
４      運転確認ランプ
１１    カバー
１２    軸挿通孔
１３    係止手段
１４    記号
１５    差し込み孔
１６    ストッパー
１７    窓
２１    摘み
２２    指示手段
２３    堰板
２４    環状ベース
２５    止めネジ
【図１】
0005449940.tif 000002
【図２】
0005449940.tif 000003
【図３】
0005449940.tif 000004
【図４】
0005449940.tif 000005
【図５】
0005449940.tif 000006